(57)【特許請求の範囲】
【請求項１】
扁平な箱蓋状の上下１対のケース部材からなるケース本体と、該ケース本体の前端部に設けた開口から突出する転写ヘッドとを有し、該転写ヘッドを一方のケース部材に、軸線を中心としてほぼ９０度回転可能に支持する前後の支持部材をもって架設するとともに、前記転写ヘッドの後端部に、該転写ヘッドの軸線に直交する方向に延びる円弧状のフックを、前記前後の支持部材間において一体的に形成し、かつ他方のケース部材には、前記円弧状のフックに係合し得る円弧溝を設け、上下１対のケース部材をはめ合わせ、転写ヘッドを９０度回転させて、前記フックを円弧溝に係合させることにより、両ケース部材が結合一体化されるとともに、転写テープを転写ヘッドに掛合わせた際に、転写テープの平面と平行に位置する転写ヘッドの平面を、扁平なケース部材の前記扁平な面と平行となる状態にして使用し得るようにしたことを特徴とする横引き式塗膜転写具。
【請求項２】
転写テープの繰出リールと巻取リールを、同軸に配設してなる馬蹄形のカートリッジを、転写ヘッドの前記支持部材が、前記カートリッジの馬蹄形の内部に位置するようにして、前記ケース本体内に収容させてなる、請求項１記載の横引き式塗膜転写具。
【発明の詳細な説明】
【０００１】
【発明の属する技術分野】
本発明は、横引き式の塗膜転写具、すなわち、繰出リールから繰り出される転写テープ上の塗膜を、転写ヘッドにより紙面に付着させ、かつ塗膜が、剥離された転写テープを、巻取リールに巻き取るようにした横引き式の塗膜転写具に関する。
【０００２】
【従来の技術】
転写テープを交換できる横引き式の塗膜転写具は、例えば特許第２９４３１３４号明細書に記載され公知である。この塗膜転写具では、転写テープをカートリッジ式として交換することができる。
【０００３】
【発明が解決しようとする課題】
しかし、上記の塗膜転写具では、転写テープを収容したカートリッジは、転写テープだけでなく、転写ヘッドも一体となっているため、転写テープの交換が可能であるが、コスト高となる。
【０００４】
さらに、転写テープの交換に際しては、転写ヘッドの周囲にはめ込んだ円筒形のキャップ部材を抜き取り、上下のケース部材を、転写ヘッドとは反対側の係合部を中心として開いて、使用済みの転写テープを取出し、新たな転写テープの装着後は、逆手順の面倒な操作により、上下のケース部材を結合しなければならない。
【０００５】
本発明は、上述の問題点に鑑み、転写テープのみの交換を可能として、かつ上下のケース部材の結合を、転写ヘッドを使用状態の横引き位置へ回転させることにより、同時に達成させうるようにした、横引き式塗膜転写具を提供することを目的としている。
【０００６】
【課題を解決するための手段】
本発明によると、上記課題は、次のようにして解決される。
(１) 扁平な箱蓋状の上下１対のケース部材からなるケース本体と、該ケース本体の前端部に設けた開口から突出する転写ヘッドとを有し、該転写ヘッドを一方のケース部材に、軸線を中心としてほぼ９０度回転可能に支持する前後の支持部材をもって架設するとともに、前記転写ヘッドの後端部に、該転写ヘッドの軸線に直交する方向に延びる円弧状のフックを、前記前後の支持部材間において一体的に形成し、かつ他方のケース部材には、前記円弧状のフックに係合し得る円弧溝を設け、上下１対のケース部材をはめ合わせ、転写ヘッドを９０度回転させて、前記フックを円弧溝に係合させることにより、両ケース部材が結合一体化されるとともに、転写テープを転写ヘッドに掛合わせた際に、転写テープの平面と平行に位置する転写ヘッドの平面を、扁平なケース部材の前記扁平な面と平行となる状態にして使用し得るようにする。
【０００７】
(２) 上記(１)において、転写テープの繰出リールと巻取リールを、同軸に配設してなる馬蹄形のカートリッジを、転写ヘッドの前記支持部材が、前記カートリッジの馬蹄形の内部に位置するようにして、前記ケース本体内に収容させる。
【０００８】
【発明の実施の形態】
図１は、本発明の塗膜転写具の一実施形態を、分解して示す斜視図である。
塗膜転写具は、平面視において、一端を切截したほぼ楕円形である扁平な箱蓋状の上下１対のケース部材(1a)(1b)からなるケース本体(１)を有し、このケース本体(１)の丸く膨らんだ端部の内部には、繰出リールび巻取リール(図示省略)が、同軸上に重合させて配設されている。
【０００９】
ケース本体(１)の狭幅となっている前端部には、開口(２)が設けられており、ここに転写ヘッド(３)が、その後部をケース本体(１)内に収め、かつ先端部を開口(２)から突出させるようにして嵌入されている。
【００１０】
図２に示すように、転写ヘッド(３)の円柱状の後端部(４)の中間部には、小径軸(５)に形成され、この小径軸(５)には、円弧状のフック(６)が、転写ヘッド(３)の軸線と直交する方向に突設されている。図示の例では、フック(６)の先端は、転写ヘッド(３)の先端から見て、逆時計方向に上を向いている。
【００１１】
転写ヘッド(３)の円柱状の後端部(４)は、中間部分に切り欠き部(７)を有するほぼ半円筒形の支持部材(８)により、フック(６)を切り欠き部(７)に挿通した状態で支持され、この支持部材(８)は、下側のケース部材(1b)に適当な固定手段により固定されている。
【００１２】
他方、上側のケース部材(1a)には、円弧状の前記フック(６)に対応する位置において、フック(６)が係合できる円弧溝(９)が、転写ヘッド(３)の軸線と直交する方向に形成されており、円弧溝(９)の底部は、フック(６)が直立する位置までは貫通孔(10)とされ、ほぼ９０度の回転ができるようにしてある。
【００１３】
一方、本発明の塗膜転写具にいおて用いられる転写テープ(11)は、通常、図５に示すような馬蹄形のカートリッジ(12)に収容されている。
すなわち、前記カートリッジ(12)の基部に転写テープ(11)を繰出す繰出リール(13)と紙面等に塗膜を転写後の使用済み転写テープを巻取る巻取リール(14)が同軸に配設されている。
【００１４】
巻取リール(14)が支軸(15)に軸支され、巻取リール(14)と一体的に形成されて、前記支軸(15)に軸支される繰出リール用支軸(図示省略)に、繰出リール(13)が摩擦により一体的に回動するように支持されている。
巻取リール(14)は、繰出リール(13)と前記摩擦の限度内で一体となって回動する。
【００１５】
繰出リール(13)より繰出された転写テープ(11)は、馬蹄形のカートリッジ(12)の両先端の一方の開口(16a)から外部に取り出され、他方の開口(16b)から再びカートリッジ(12)内に戻り、巻取リール(14)に巻き取られる。
【００１６】
繰出リール(13)と巻取リール(14)が同軸に配設されているカートリッジの基部の上下面には、段状に円板状嵌合部(17)(下側の円板状嵌合部は図示省略)が形成されている。
この円板状嵌合部(17)は、上下１対のケース部材(1a)(1b)に設けられたカートリッジ用嵌合孔(18a)(18b)と相互に嵌合する寸法となっている。
【００１７】
ケース本体(１)の中の転写テープの交換は、次の手順による。
フック(６)の先端を指で回転方向にスライドさせて、円弧溝(９)との係合を解除し、上側のケース部材(1a)を上方に持ち上げれば、上下１対のケース部材(1a)(1b)を容易に分離することができる。
【００１８】
ついで、使用済みの転写テープが収容されたカートリッジを取りはずし、図１に一点鎖線の想像線図で外形を示すように、新しいカートリッジ(12)を、そのカートリッジ(12)の馬蹄形の内部に、転写ヘッド(３)の支持部材(８)を位置させるとともに、転写テープ(11)を転写ヘッド(３)に掛合させ、かつカートリッジ(12)の下側の円板状嵌合部(17)(図示省略)を、下側のケース部材(1b)のカートリッジ用嵌合孔(18b)に嵌合させる。
【００１９】
その後、下側のケース部材(1b)上に、上側のケース部材(1a)をはめ合わせ、最後に、転写ヘッド(３)を９０度逆時計方向に回転させると、下側のケース部材(1b)に取り付けた転写ヘッド(３)のフック(６)は、上側のケース部材(1a)の貫通孔(10)から円弧溝(９)に係合して、両ケース部材(1a)(1b)が結合一体化される。これと同時に、転写ヘッド(３)の先端部は、９０度回転して使用状態の横引き位置を占めることとなる。この最終状態が、図３の斜視図及び図４の断面図に示されている。
【００２０】
なお、円弧溝(９)に係合させたフック(６)を固定させるには、フック(６)の下面と円弧溝(９)の底溝とを摩擦によって固定させる態様のほか、フック(６)の先端に係止爪を付設し、円弧溝(９)に前記係止爪を係止させる係止凹部を設けるなど、適宜の手段が採用される。
【００２１】
【発明の効果】
請求項１記載の発明によれば、転写テープのみをカートリッジとして交換することができ、コストのうえから有利であるばかりでなく、上下１対のケース部材の結合と、転写ヘッドの使用状態の横引き位置への移動とが、一動作で簡単かつ確実に行ない得る。
【００２２】
また、転写テープを転写ヘッドに掛合させる際には、転写テープと転写ヘッドの平面が平行に位置しているために、転写テープの掛合操作が容易である。
【００２３】
さらに、円弧状のフックまたは転写ヘッド全体を、心ぶれを起すことなく、回転可能に支持することができる。
【００２４】
請求項２記載の発明によれば、カートリッジをコンパクトにできるとともに、そのカートリッジを収容した塗膜転写具を小型化できる。
【図面の簡単な説明】
【図１】  本発明の塗膜転写具の一実施形態を、ケース本体を分解して示す斜視図である。
【図２】  図１における転写ヘッド及びその支持部材の斜視図である。
【図３】  図１に示した塗膜転写具の組み立てた状態の斜視図である。
【図４】  図３のIV−IV線に沿う断面図である。
【図５】  本発明における転写テープを収容したカートリッジの斜視図である。
【符号の説明】
(１)ケース本体
(1a)上側のケース部材
(1b)下側のケース部材
(２)開口
(３)転写ヘッド
(４)後端部
(５)小径軸
(６)フック
(７)切り欠き部分
(８)支持部材
(９)円弧溝
(10)貫通孔
(11)転写テープ
(12)カートリッジ
(13)繰出リール
(14)巻取リール
(15)支軸
(16a)(16b)開口
(17)円板状嵌合部
(18a)(18b)カートリッジ用嵌合孔
【図１】
0004256053.tif 000002
【図２】
0004256053.tif 000003
【図３】
0004256053.tif 000004
【図４】
0004256053.tif 000005
【図５】
0004256053.tif 000006